(57)【要約】      （修正有）【課題】視聴者が映像表示装置に近づき過ぎた場合は、映像を小さく表示する映像表示装置を提供する。【解決手段】映像表示装置は映像を表示する映像表示部を備える。また、撮像を行い、撮像した映像を出力する撮像部を備える。また、前記出力映像に予め登録された人物が含まれるか否かを判別する人物判別部を備える。また、前記出力映像に前記予め登録された人物が含まれる場合に、前記出力映像における前記人物の大きさに基づいて、前記映像表示部に出力する映像の大きさを制御する映像制御部を備える。【選択図】図５
2012145638.tif 000002
【特許請求の範囲】
【請求項１】
映像を表示する映像表示部と、
撮像を行い、撮像した映像を出力する撮像部と、
前記出力映像に予め登録された人物が含まれるか否かを判別する人物判別部と、
前記出力映像に前記予め登録された人物が含まれる場合に、前記出力映像における前記人物の大きさに基づいて、前記映像表示部に出力する映像の大きさを制御する映像制御部を備える映像表示装置。
【請求項２】
前記撮像部は、前記映像表示部の近傍に設けられ、前記映像表示部の視聴者を撮像可能に構成される請求項１に記載の映像表示装置。
【請求項３】
人物を登録する人物登録手段を備える請求項１に記載の映像表示装置。
【請求項４】
前記人物の大きさは前記人物の顔の大きさを含む請求項１に記載の映像表示装置。
【請求項５】
前記映像表示部に出力する映像の大きさの制御は、前記人物と前記撮像部の距離が小さい程小さく表示されるように、前記人物と前記撮像部の距離が大きい程大きく表示されるように制御される請求項１に記載の映像表示装置。
【請求項６】
前記登録された人物が複数確認された場合は、確認された複数の人物の中で前記撮像部に近い人物の大きさに基づいて、前記出力映像の大きさを制御する請求項１に記載の映像表示装置。
【請求項７】
前記出力映像に前記予め登録された人物が含まれない場合は、予め設定された大きさで前記映像出力部に映像を出力する請求項１に記載の映像表示装置。
【請求項８】
撮像を行い、撮像した映像を出力するステップと、
前記出力映像に予め登録された人物が含まれるか否かを判別するステップと、
前記出力映像に前記予め登録された人物が含まれる場合に、前記出力映像における前記人物の大きさに基づいて、映像表示部に出力する映像の大きさを制御するステップと、
前記大きさが制御された映像を表示するステップを備える映像表示装置。
【発明の詳細な説明】
【技術分野】
【０００１】
本発明の実施形態は、映像表示装置、映像表示方法に関する。
【背景技術】
【０００２】
近年、表示画面の大きな、いわゆる「大画面」の映像表示装置（テレビ等）が普及している。
「大画面」の映像表示装置は、表示画面が大きいため映像が大きく表示され、映像表示装置から離れて視聴しても、快適に映像コンテンツを楽しむことができる。
そして、例えば、子供等の視聴者が映像表示装置から距離をおき、目が悪くならないように、映像コンテンツを視聴できるようにすることが可能である。
しかし、「大画面」の映像表示装置においては、視聴者が映像表示装置に近づいた場合は映像表示装置に大きな映像が表示され、映像コンテンツを視聴しにくくなるという問題があった。
【０００３】
このため、視聴者が映像表示装置に近づいた場合は、映像表示装置に表示される映像を小さく表示したいというユーザの要望があった。
【先行技術文献】
【特許文献】
【０００４】
【特許文献１】特開２０１０−１０１９４９号公報
【発明の概要】
【発明が解決しようとする課題】
【０００５】
特に、「大画面」の映像表示装置は、映像が大きく表示されるため、視聴者が映像表示装置に近づき過ぎると、映像コンテンツを視聴しにくくなるという問題があった。
【０００６】
このため、視聴者が映像表示装置に近づき過ぎた場合は、映像を小さく表示したいというユーザの要望があり、課題となっていた。
【課題を解決するための手段】
【０００７】
実施形態の映像表示装置は、映像を表示する映像表示部を備える。
また、撮像を行い、撮像した映像を出力する撮像部を備える。
また、前記出力映像に予め登録された人物が含まれるか否かを判別する人物判別部を備える。
また、前記出力映像に前記予め登録された人物が含まれる場合に、前記出力映像における前記人物の大きさに基づいて、前記映像表示部に出力する映像の大きさを制御する映像制御部を備える。
【図面の簡単な説明】
【０００８】
【図１】実施形態に係わる映像表示装置を示すブロック図。
【図２】実施形態に係わる映像表示装置の外観を示す図。
【図３】実施形態に係わる映像表示装置の特に制御部を示すブロック図。
【図４】実施形態に係わる映像表示装置において、撮像部の出力映像から予め登録された人物を判別するようすを示す図。
【図５】実施形態に係わる映像表示装置において、略人物と映像表示装置の間の距離に応じて表示画面のサイズを制御するようすを示す図。
【図６】実施形態に係わる映像表示装置において、予め登録された、登録人物ごとの顔のサイズと視聴距離の関係を示す図。
【図７】実施形態に係わる映像表示装置において、略人物と映像表示装置の間の距離に応じて表示画面のサイズを制御するために用いられる設定の一例を示す図。
【図８】実施形態に係わる映像表示装置において、人物を登録するフローチャート。
【図９】実施形態に係わる映像表示装置の動作を説明するフローチャート。
【図１０】実施形態に係わる映像表示装置の他の映像出力例を説明する図。
【発明を実施するための形態】
【０００９】
以下、図面を参照し、実施の形態を説明する。
図１は、実施形態に係わる映像表示装置を示すブロック図である。
符号１は映像表示装置であり、ここではテレビである。符号２はアンテナ、符号３はチューナ、符号４は信号処理部、符号５は映像処理部、符号６は音声処理部、符号７は表示装置、符号８は表示画面（映像表示部）、符号９はスピーカ、符号１０はバス、符号１１は制御部、符号１２はＭＰＵ、符号１３はＲＡＭ、符号１４はＲＯＭ、符号１５はフラッシュメモリ、符号１６は記憶部、符号１７は内部記録装置、符号１８は外部インターフェース、符号１９は外部記憶装置、符号２０は操作受信部、符号２１はリモコン、符号２２は送受信部（ネットワークインターフェース）、符号２５は放送局、符号２６はネットワーク（インターネット）、符号２７はサーバである。
【００１０】
ここでは、制御部１１はＭＰＵ（１２）を備え、映像表示装置１を制御する。ＲＡＭ（１３）、ＲＯＭ（１４）、フラッシュメモリ１５は、例えば制御部１１で行われる処理に利用される。
【００１１】
例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００１２】
信号処理部４で受信されたデジタル信号の映像コンテンツは信号処理が施され、音声処理部６および映像処理部５に送信される。
音声処理部６は信号処理が施された映像コンテンツを受信し、音声処理を施した信号をスピーカ９に送信する。
スピーカ９は音声処理が施された信号を受信し、音声を出力する。
また、映像処理部５は信号処理が施された映像コンテンツを受信し、映像処理を施した信号を表示装置７に送信する。
表示装置７は映像処理が施された信号を受信し、ＬＣＤパネル等で構成される表示画面（映像表示部）８に映像を表示する。
また、この実施の形態においては、映像表示装置１は内部記憶装置１７を備え、上記受信された映像コンテンツを記録することが可能である。
また、この実施の形態においては、映像表示装置１は上記のようにＵＳＢ接続やＬＡＮ接続される外部記憶機器１９を備えている。上記受信された映像コンテンツはこの外部記憶機器１９に記録することも可能である。
【００１３】
また映像表示装置１に対するユーザの操作は、例えばリモコン（リモートコントローラ）２１等の操作機器によって指示される。
これらの処理は、制御部１１に制御される。
また、上記のように、映像表示装置１は送受信部（ネットワークインターフェース）２２を介してサーバ２７に接続され、例えばウェッブページを受信してブラウジングすることが可能である。
【００１４】
また、この実施の形態においては、映像表示装置１は撮像装置（カメラ）３０を備えている。この撮像装置（カメラ）３０は、後述するように、映像表示装置１が視聴者を撮像するために用いられる。
【００１５】
図２は、実施形態に係わる映像表示装置の外観を示す図である。
ここでは、撮像装置（カメラ）３０は、図に示すように、表示画面８近傍の表示画面８と同じ面に、映像表示装置１に表示される映像コンテンツの視聴者を撮像できるように設けられる。
【００１６】
そして、例えば、視聴者が映像表示装置１に表示される映像コンテンツを視聴しているときに、視聴者を含む映像を撮像する。
図３は、実施形態に係わる映像表示装置の特に制御部を示すブロック図である。
ここでは、例えば、制御部１１は、画面制御部１１ａ、顔識別部１１ｂ、距離判定部１１ｃ、画面サイズ算出部を備えている。
また、制御部１１は、撮像部３０、フラッシュメモリ１５（画面サイズ記憶部および人物顔情報登録部）と接続している。
図４は、実施形態に係わる映像表示装置において、撮像部の出力映像から予め登録された人物を判別するようすを示す図である。
ここでは、撮像部３０から出力された撮像部出力映像３１を用い、人物が判別される。
ここでは、撮像部出力映像３１に人物４１が撮像されている。そして、例えば、この人物４１の顔を検出する。ここでは、人物の顔４２が検出される。
この人物の顔４２が、後述するように、予め登録された人物であると判別される場合はこの顔のサイズ４０が検出される。ここでは、顔のサイズ４０は横の長さであるが、縦の長さでも良い。あるいは、横の長さと縦の長さを乗算した面積でも良い。ここでは、横の長さである。
【００１７】
この顔のサイズ４０は、例えば、撮像部出力映像３１の横の長さ４３と比較され、その割合を求めることにより、顔のサイズ（横）４０が求められる。
また、この人物の顔４２が、予め登録された人物であると判別されない場合は、この顔のサイズ４０は検出されず、後述する表示出力映像の大きさの制御は特に行わず、予め設定された大きさで表示映像を出力する。
【００１８】
図５は、実施形態に係わる映像表示装置において、略人物と映像表示装置の間の距離に応じて表示画面のサイズを制御するようすを示す図である。
ここでは、表示出力映像は映像表示部７に表示出力される。
このとき、撮像装置（カメラ）３０は、視聴者である人物４１を撮像し、後述するように、略人物４１と映像表示装置１の間の距離である視聴距離５１を求める。そして、この視聴距離５１に応じ、表示画面のサイズ５２を制御する
【００１９】
図６は、実施形態に係わる映像表示装置において、予め登録された、登録人物ごとの顔のサイズと視聴距離の関係を示す図である。
人物の顔のサイズと視聴距離の関係を登録する例については、後述する図８を用いて説明する。
人物の顔の大きさは個人差があり、異なっていることが多い。このため、この実施の形態においては、人物毎に人物の顔のサイズと視聴距離の関係を登録する
ここでは、人物１（Ａさん）６１の顔のサイズと視聴距離の関係は下に示すグラフ、人物２（Ｂさん）６２の顔のサイズと視聴距離の関係は上に示すグラフの関係である。
【００２０】
図７は、実施形態に係わる映像表示装置において、略人物と映像表示装置の間の距離に応じて表示画面のサイズを制御するために用いられる設定の一例を示す図である。
【００２１】
この実施の形態においては、視聴者の視聴距離５１（上記略人物４１と映像表示装置１の間の距離、実際には撮像装置（カメラ）３０と対象となる人物４１の距離）に応じて表示画面８に映像を表示出力する映像の表示サイズ（大きさ）を制御する。
【００２２】
図７（ａ）は、視聴距離５１に応じ、段階的に映像の表示サイズ（大きさ）を制御する例である。
例えば、符号７１を付したように、視聴距離５１が１ｍである場合は２１インチサイズで映像を表示出力する。また、符号７２を付したように、視聴距離５１が２ｍである場合は４２インチサイズで映像を表示出力する。
【００２３】
このように構成することにより、画像サイズが急激に切り替わらないため、映像を視聴する視聴者が感じる違和感を低減することが可能になる。
図７（ｂ）は、視聴距離５１に応じ、連続的に映像の表示サイズ（大きさ）を制御する例である。
例えば、符号７１を付したように、視聴距離５１が１ｍである場合は２１インチサイズで映像を表示出力する。また、符号７２を付したように、視聴距離５１が２ｍである場合は４２インチサイズで映像を表示出力する。
【００２４】
しかし、視聴距離５１に応じて、適宜、画面サイズを変更する。
このように構成することにより、画像サイズが急激に切り替わるため、ユーザが好みの画面サイズに調整することが可能になる。
図８は、実施形態に係わる映像表示装置において、人物を登録するフローチャートである。
ここでは、人物としてＡさんが登録される例を説明する。他の人物を登録する場合は、Ａさんを他の人物に読み替えて、同様の処理を行う。
符号Ｓ１００はここでの開始ステップである。続いて、ステップＳ１０１へ進む。
ステップＳ１０１は、映像表示装置１から例えば、１ｍ離れた距離でＡさんの顔を撮影するステップである。映像表示装置１から離れる距離は、必ずしも１ｍである必要はなく、基準となる一定の距離であれば良い。続いて、ステップＳ１０２へ進む。
【００２５】
ステップＳ１０２は、Ａさんの顔と撮影画像におけるＡさんの顔の割合（例えば顔の横の長さ）を求めるステップである。例えば、上記図４で説明したように、求められる。続いて、ステップＳ１０３へ進む。
【００２６】
ステップＳ１０３は、上記登録データからＡさんの顔のサイズと視聴距離の関係（例えば図６）を演算によって求めるステップである。続いて、ステップＳ１０４へ進む。
【００２７】
ステップＳ１０４は、上記求められたＡさんの顔の割合と、顔のサイズと視聴距離の関係を、フラッシュメモリ１５に登録するステップである。続いて、ステップＳ１０５へ進む。
【００２８】
ステップＳ１０５は、終了ステップであり、ここでの処理は終了する。
図９は、実施形態に係わる映像表示装置の動作を説明するフローチャートである。
符号Ｓ２００はここでの開始ステップである。続いて、ステップＳ２０１へ進む。
ステップＳ２０１は、映像表示装置１、撮像装置（カメラ）３０の電源をＯＮにするステップである。続いて、ステップＳ２０２へ進む。
ステップＳ２０２は、映像表示装置１の表示画面８側から視聴者を撮像するステップである。続いて、ステップＳ２０３へ進む。
ステップＳ２０３は、撮像装置（カメラ）３０から出力された撮像出力映像３１から人物の顔を認識したかを判別するステップである。撮像装置（カメラ）３０から出力された撮像出力映像３１から人物の顔を認識したと判別される場合はステップＳ２０４へ進む（Ｙｅｓ）。撮像装置（カメラ）３０から出力された撮像出力映像３１から人物の顔を認識したと判別されない場合はステップＳ２０９へ進む（Ｎｏ）。
【００２９】
ステップＳ２０４は、撮像装置（カメラ）３０から出力された撮像出力映像３１に上記登録された人物の顔は含まれるかを判別するステップである。撮像装置（カメラ）３０から出力された撮像出力映像３１に上記登録された人物の顔が含まれると判別される場合はステップＳ２０５へ進む（Ｙｅｓ）。撮像装置（カメラ）３０から出力された撮像出力映像３１に上記登録された人物の顔が含まれると判別されない場合はステップＳ２０９へ進む（Ｎｏ）。
【００３０】
ステップＳ２０５は、登録された人物が複数確認された場合に、制御対象を撮像装置（カメラ）３０に最も近い人物にするステップである。例えば、Ａさんの顔が最も大きく撮像されている場合は、Ａさんが最も近いと判断する。続いて、ステップＳ２０６へ進む。
【００３１】
ステップＳ２０６は、Ａさんの顔の大きさ（撮像画像における割合）を検出するステップである。続いて、ステップＳ２０７へ進む。
ステップＳ２０７は、検出されたＡさんの顔の大きさ（割合）を用い、例えば図６に示す、顔のサイズと視聴距離の関係に基づいて、Ａさんが撮像装置（カメラ）３０に近い場合は小さく、近くない場合は大きく表示されるように表示画面サイズを決定するステップである。続いて、ステップＳ２０８へ進む。
【００３２】
ステップＳ２０８は、上記決定されたサイズで、映像表示部７に映像を表示するステップである。続いて、ステップＳ２０３へ進み、上記処理を繰り返す。
ステップＳ２０９は、映像表示部７に、予め設定された通常サイズで映像を表示するステップである。続いて、ステップＳ２１０へ進む。
ステップＳ２１０は、終了ステップであり、ここでの処理は終了する。
図１０は、実施形態に係わる映像表示装置の他の映像出力例を説明する図である。
この実施の形態においては、撮像装置（カメラ）３０から出力された撮像出力映像３１において、人物が確認された位置に応じ、上記サイズが制御された表示出力映像を表示する位置を制御する。
【００３３】
図１０（ａ）は、撮像装置（カメラ）３０から出力された撮像出力映像３１において、人物４１および人物の顔４２が左下側に確認された例を示している。
図１０（ｂ）は、上記人物４１および人物の顔４２が確認された位置、すなわち映像表示装置１の映像表示部７の左下側に表示出力映像（表示画面（サイズ）５２）が表示出力される。
【００３４】
このように構成することで、映像表示部７の視聴者の近くに位置に、表示画面（サイズ）５２を表示することが可能となる。
また、上記のように、視聴距離５１に応じ、表示画面８に表示する映像の表示サイズを視聴に適したサイズに切り替えることにより映像表示部７で消費される電力を低減することが可能となる。
【００３５】
また、例えば親が、大画面のテレビに子供が近づきすぎ、これを制限したい場合等に、視聴者（子供）以外のユーザ（大人）が移動することによって映像コンテンツの表示サイズを制御することが可能となる。
【００３６】
上記のように構成することによって、この発明の実施の形態においては、例えば、視聴者が映像表示装置に近づいた場合は、映像表示装置に表示される映像を小さく表示する制御を行い、ユーザの利便性を向上させることが可能になる。
【００３７】
なお、上記実施形態は、記述そのものに限定されるものではなく、実施段階では、その趣旨を逸脱しない範囲で、構成要素を種々変形して具体化することが可能である。
【符号の説明】
【００３８】
１…映像表示装置、２…アンテナ、３…チューナ、４…信号処理部、５…映像処理部、６…音声処理部、７…表示装置、８…表示画面（映像表示部）、９…スピーカ、１０…バス、１１…制御部、１２…ＭＰＵ、１３…ＲＡＭ、１４…ＲＯＭ、１５…フラッシュメモリ、１６…記憶部、１７…内部記録装置、１８…外部インターフェース、２５…放送局、２６…ネットワーク（インターネット）、２７…サーバ、３０…撮像装置（カメラ）。
【図１】
2012145638.tif 000003
【図２】
2012145638.tif 000004
【図３】
2012145638.tif 000005
【図４】
2012145638.tif 000006
【図５】
2012145638.tif 000007
【図６】
2012145638.tif 000008
【図７】
2012145638.tif 000009
【図８】
2012145638.tif 000010
【図９】
2012145638.tif 000011
【図１０】
2012145638.tif 000012